(57)【要約】【課題】  多段給紙トレイを設けることで利便性を高めた画像読取装置および画像読取方法および画像読取システムを提供する。【解決手段】  給紙トレイ３０２のいずれかにセットされた原稿は、該給紙トレイ３０２がローラ３０４によってプラテンガラス３０６面上に搬送可能な位置に移動後、給紙トレイ３０２に備わる自動給紙フィーダー３１９によりプラトンガラス３０６面上に搬送されるとともに、スキャン処理が行われ排紙トレイ３１３に排出される。【選択図】  図２
2006020047.tif 000002
【特許請求の範囲】
【請求項１】
原稿を光学的に走査して該原稿から情報を読み取る画像読取装置において、
前記原稿をセットする複数の給紙部と、
前記複数の給紙部の中から前記原稿がセットされた１つの給紙部を選択する給紙部選択手段と、
前記給紙部選択手段により選択された給紙部にセットされた原稿を排紙部へと搬送する原稿搬送手段と、
前記原稿搬送手段で搬送される原稿から情報を読み取る読取手段と、
前記読取手段の読取出力をデジタルデータに変換するデータ変換手段と
を具備することを特徴とする画像読取装置。
【請求項２】
前記給紙部選択手段は、
前記複数の給紙部の中の選択された給紙部を原稿台と略同一の高さ位置に移動させる給紙部移動機構
を具備し、
前記原稿搬送手段は、
前記給紙部移動機構により前記原稿台と略同一の高さ位置に移動させられた給紙部から前記原稿を前記原稿台を経て排紙部へ搬送する
ことを特徴とする請求項１記載の画像読取装置。
【請求項３】
前記排紙部は、
前記複数の給紙部に対応してそれぞれ設けられ、
前記原稿搬送手段は、
前記給紙部選択手段により選択された給紙部にセットされた原稿を該給紙部と対応する排紙部へ搬送し、
前記読取手段は、
前記原稿の情報を読み取る読取部を有するとともに、該読取部を前記給紙部選択手段により選択された給紙部から搬送される原稿面まで移動させる読取部移動機構
を具備することを特徴とする請求項１記載の画像読取装置。
【請求項４】
前記排紙部は、
前記複数の給紙部に対応してそれぞれ設けられ、
前記原稿搬送手段は、
前記給紙部選択手段により選択された給紙部にセットされた原稿を該給紙部と対応する排紙部へ搬送し、
前記読取手段は、
前記原稿の情報を読み取る読取部を有するとともに、前記給紙部選択手段により選択された給紙部から搬送される原稿の読取画像を前記読取部に入力させる光学部移動機構
を具備することを特徴とする請求項１記載の画像読取装置。
【請求項５】
前記データ変換手段は、
前記原稿から読み取った情報を各給紙部に対応してデジタルデータに変換する
ことを特徴とする請求項１記載の画像読取装置。
【請求項６】
前記給紙部選択手段は、
前記複数の給紙部の中の原稿がセットされた給紙部を順次選択し、
前記原稿搬送手段は、
前記給紙部選択手段により選択された給紙部から原稿を順次排紙部へ搬送する
ことを特徴とする請求項１記載の画像読取装置。
【請求項７】
前記複数の給紙部に対応してセットする原稿の情報をそれぞれ設定する原稿情報設定手段
を更に具備し、
前記給紙部選択手段は、
前記原稿情報設定手段の設定状態に対応して前記給紙部の選択を行う
ことを特徴とする請求項１記載の画像読取装置。
【請求項８】
前記複数の給紙部に対して原稿の読み取り予約をそれぞれ設定する予約設定手段
を更に具備し、
前記給紙部選択手段は、
前記予約設定手段の設定内容に従って前記給紙部の選択を行う
ことを特徴とする請求項１記載の画像読取装置。
【請求項９】
前記複数の給紙部に対して原稿読み取り後の後処理を設定する後処理設定手段
を更に具備し、
前記後処理設定手段の設定内容に従って各給紙部からの原稿の読み取り後の処理を実行する
ことを特徴とする請求項１記載の画像読取装置。
【請求項１０】
前記複数の給紙部に対して原稿の読み取り処理がなされた回数を計数する使用回数計数手段
を更に具備する
ことを特徴とする請求項１記載の画像読取装置。
【請求項１１】
原稿を光学的に走査して該原稿から情報を読み取る画像読取方法において、
前記複数の給紙部のいずれか若しくは全てに原稿をセットし、
前記複数の給紙部の中から前記原稿がセットされた１つの給紙部を給紙部選択手段で選択し、
前記給紙部選択手段により選択された給紙部にセットされた原稿を排紙部へと原稿搬送手段で搬送し、
前記原稿搬送手段で搬送される原稿の情報を読取手段で読み取り、
前記読取手段の読取出力をデジタルデータにデータ変換手段で変換する
ことを特徴とする画像読取方法。
【請求項１２】
原稿を光学的に走査して該原稿から情報を読み取る画像読取装置と前記画像読取装置で読み取った原稿を印刷する印刷装置とを有する画像読取システムにおいて、
前記画像読取装置は、
前記原稿をセットする複数の給紙部と、
前記給紙部毎に該給紙部にセットされた原稿に対する印刷情報を設定する印刷情報設定手段と、
前記複数の給紙部の中から前記原稿がセットされた１つの給紙部を選択する給紙部選択手段と、
前記給紙部選択手段により選択された給紙部にセットされた原稿を排紙部へと搬送する原稿搬送手段と、
前記原稿搬送手段で搬送される原稿の情報を読み取る読取手段と、
前記読取手段の読取出力をデジタルデータに変換するデータ変換手段と、
前記データ変換手段で変換されたデジタルデータを前記印刷情報設定手段で設定された印刷情報と共に前記印刷装置に送信する送信手段と
を具備し、
前記印刷装置は、
前記送信手段で送信された前記デジタルデータおよび前記印刷情報を受信する受信手段と、
前記受信手段で受信した前記デジタルデータを前記印刷情報に基づき印刷処理する印刷処理手段と
を具備することを特徴とする画像読取システム。
【発明の詳細な説明】
【技術分野】
【０００１】
本発明は、スキャン動作によって情報（例えば、文書、写真、図面など）を読み取って、デジタルデータに変換する画像読取装置および画像読取方法および画像読取システムに係わり、詳しくは、給紙トレイを複数設けた画像読取装置および画像読取方法および画像読取システムに関する。
【背景技術】
【０００２】
従来、スキャナにより原稿媒体を読み取る方法として、原稿台に原稿を載置してスキャンする方式、あるいは、自動給紙フィーダーに原稿をセットしてスキャンする方式がある。
【０００３】
前者の場合は原稿台、すなわち、プラテンガラス上に載置された原稿を走査し画像を読み取ることでスキャン処理がなされる。また、後者の場合は給紙部に原稿をセットすると該給紙部に備わる自動給紙フィーダーにより原稿がプラテンガラス上に搬送されるとともに画像が読み取られスキャン処理がなされる。
【０００４】
ところで、従来のスキャナに関する技術として、特許文献１記載の「画像読取り方法及び原稿搬送装置」が開示されている。
【０００５】
この特許文献１の発明は、２原稿１枚複写モード（並列読取モード）設定時には原稿束奇偶判別手段と、１枚の用紙の同一面に画像形成される複数の原稿内の順番を該複数の原稿をプラテンガラス上に載置する以前に順番を入れかえる手段とを有することによって、容易に１枚の用紙の同一面上に複数原稿の画像形成が可能となり、高速処理が可能であるという技術について言及されている。
【特許文献１】特開平５−６０４８号
【発明の開示】
【発明が解決しようとする課題】
【０００６】
しかしながら、上記特許文献１の発明および従来のスキャナにおいては、自動給紙フィーダーの給紙トレイが一段しか設けられていなかったため、複数枚の原稿を読み取ることはできても、それ以外の利点がなかった。
【０００７】
そこで、本発明は、多段給紙トレイを設けることにより、様々な利便性を提供できる画像読取装置および画像読取方法および画像読取システムを提供することを目的とする。
【課題を解決するための手段】
【０００８】
上記目的を達成するため、請求項１の発明は、原稿を光学的に走査して該原稿から情報を読み取る画像読取装置において、前記原稿をセットする複数の給紙部と、前記複数の給紙部の中から前記原稿がセットされた１つの給紙部を選択する給紙部選択手段と、前記給紙部選択手段により選択された給紙部にセットされた原稿を排紙部へと搬送する原稿搬送手段と、前記原稿搬送手段で搬送される原稿から情報を読み取る読取手段と、前記読取手段の読取出力をデジタルデータに変換するデータ変換手段とを具備することを特徴とする。
【０００９】
また、請求項２の発明は、請求項１の発明において、前記給紙部選択手段は、前記複数の給紙部の中の選択された給紙部を原稿台と略同一の高さ位置に移動させる給紙部移動機構を具備し、前記原稿搬送手段は、前記給紙部移動機構により前記原稿台と略同一の高さ位置に移動させられた給紙部から前記原稿を前記原稿台を経て排紙部へ搬送することを特徴とする。
【００１０】
また、請求項３の発明は、請求項１の発明において、前記排紙部は、前記複数の給紙部に対応してそれぞれ設けられ、前記原稿搬送手段は、前記給紙部選択手段により選択された給紙部にセットされた原稿を該給紙部と対応する排紙部へ搬送し、前記読取手段は、前記原稿の情報を読み取る読取部を有するとともに、該読取部を前記給紙部選択手段により選択された給紙部から搬送される原稿面まで移動させる読取部移動機構を具備することを特徴とする。
【００１１】
また、請求項４の発明は、請求項１の発明において、前記排紙部は、前記複数の給紙部に対応してそれぞれ設けられ、前記原稿搬送手段は、前記給紙部選択手段により選択された給紙部にセットされた原稿を該給紙部と対応する排紙部へ搬送し、前記読取手段は、前記原稿の情報を読み取る読取部を有するとともに、前記給紙部選択手段により選択された給紙部から搬送される原稿の読取画像を前記読取部に入力させる光学部移動機構を具備することを特徴とする。
【００１２】
また、請求項５の発明は、請求項１の発明において、前記データ変換手段は、前記原稿から読み取った情報を各給紙部に対応してデジタルデータに変換することを特徴とする。
【００１３】
また、請求項６の発明は、請求項１の発明において、前記給紙部選択手段は、前記複数の給紙部の中の原稿がセットされた給紙部を順次選択し、前記原稿搬送手段は、前記給紙部選択手段により選択された給紙部から原稿を順次排紙部へ搬送することを特徴とする。
【００１４】
また、請求項７の発明は、請求項１の発明において、前記複数の給紙部に対応してセットする原稿の情報をそれぞれ設定する原稿情報設定手段を更に具備し、前記給紙部選択手段は、前記原稿情報設定手段の設定状態に対応して前記給紙部の選択を行うことを特徴とする。
【００１５】
また、請求項８の発明は、請求項１の発明において、前記複数の給紙部に対して原稿の読み取り予約をそれぞれ設定する予約設定手段を更に具備し、前記給紙部選択手段は、前記予約設定手段の設定内容に従って前記給紙部の選択を行うことを特徴とする。
【００１６】
また、請求項９の発明は、請求項１の発明において、前記複数の給紙部に対して原稿読み取り後の後処理を設定する後処理設定手段を更に具備し、前記後処理設定手段の設定内容に従って各給紙部からの原稿の読み取り後の処理を実行することを特徴とする。
【００１７】
また、請求項１０の発明は、請求項１の発明において、前記複数の給紙部に対して原稿の読み取り処理がなされた回数を計数する使用回数計数手段を更に具備することを特徴とする。
【００１８】
また、請求項１１の発明は、原稿を光学的に走査して該原稿から情報を読み取る画像読取方法において、前記複数の給紙部のいずれか若しくは全てに原稿をセットし、前記複数の給紙部の中から前記原稿がセットされた１つの給紙部を給紙部選択手段で選択し、前記給紙部選択手段により選択された給紙部にセットされた原稿を排紙部へと原稿搬送手段で搬送し、前記原稿搬送手段で搬送される原稿の情報を読取手段で読み取り、前記読取手段の読取出力をデジタルデータにデータ変換手段で変換することを特徴とする。
【００１９】
また、請求項１２の発明は、原稿を光学的に走査して該原稿から情報を読み取る画像読取装置と前記画像読取装置で読み取った原稿を印刷する印刷装置とを有する画像読取システムにおいて、前記画像読取装置は、前記原稿をセットする複数の給紙部と、前記給紙部毎に該給紙部にセットされた原稿に対する印刷情報を設定する印刷情報設定手段と、前記複数の給紙部の中から前記原稿がセットされた１つの給紙部を選択する給紙部選択手段と、前記給紙部選択手段により選択された給紙部にセットされた原稿を排紙部へと搬送する原稿搬送手段と、前記原稿搬送手段で搬送される原稿の情報を読み取る読取手段と、前記読取手段の読取出力をデジタルデータに変換するデータ変換手段と、前記データ変換手段で変換されたデジタルデータを前記印刷情報設定手段で設定された印刷情報と共に前記印刷装置に送信する送信手段とを具備し、前記印刷装置は、前記送信手段で送信された前記デジタルデータおよび前記印刷情報を受信する受信手段と、前記受信手段で受信した前記デジタルデータを前記印刷情報に基づき印刷処理する印刷処理手段とを具備することを特徴とする。
【発明の効果】
【００２０】
本発明によれば、給紙トレイを複数設けて画像読取装置を構成したので、様々な利便性を提供できるという効果を奏する。例えば、給紙トレイ１から読み取る場合は「カラーモード」、給紙トレイ２から読み取る場合は「モノクロモード」といった設定を予めしておくことで、使用用途に合わせた画像読み取り処理が煩雑な操作なしに即座に行える。
【発明を実施するための最良の形態】
【００２１】
以下、この発明に係わる画像読取装置および画像読取方法および画像読取システムの実施形態について添付図面を参照して詳細に説明する。
【００２２】
図１は、本発明に係わる画像読取システムの全体構成を示すブロック図の一例である。
【００２３】
この画像読取システムは、コンピュータ１０１、プリンタ２０１、スキャナ３０１を具備して構成され、それぞれの機器はＬＡＮ（Local Area Network）４０１を介して接続されている。
【００２４】
なお、本発明の機能が実行されるのであれば、単体の機器であっても、複数の機器からなるシステムであっても、ＬＡＮ（Local Area Network），ＷＡＮ（Wide Area Network）等のネットワークを介して接続が為され処理が行われるシステムであっても本発明を適用できる。例えば、プリンタ２０１とスキャナ３０１とがＩＥＥＥ１３９４（the Institute of Electrical and Electronics Engineers 1394）またはＵＳＢ（Universal Serial Bus）などで直接接続されていてもよい。特に接続形態は問わず、各装置間で通信が行えればよい。
【００２５】
コンピュータ１０１は、ユーザが扱うパーソナルコンピュータを示している。データ等を記憶するＨＤ（Hard Disk）を有しており、スキャナ３０１から転送されるスキャン画像の保存が可能である。
【００２６】
プリンタ２０１は、コンピュータ１０１若しくはスキャナ３０１からの印刷指示に際して出力処理を行う。後述するスキャナ３０１と連携することで、コピーを行うこともできる。
【００２７】
本発明の要部であるスキャナ３０１は、多段給紙トレイを備えており、該給紙トレイにセットされた用紙からスキャン動作によって図形や写真または文字などを読み取って、デジタルデータに変換する。読み込んだデジタルデータはコンピュータ１０１にＬＡＮ４０１を介して転送する。また、読み込んだデジタルデータをプリンタ２０１にＬＡＮ４０１を介して転送し、プリンタ２０１で出力することにより、コピーを行うこともできる。
【実施例１】
【００２８】
ここで、図１に示すような基本構成を有する画像読取システムにおける第１の実施例について説明する。
【００２９】
図２は、第１の実施例で用いる多段給紙トレイを備えるスキャナ３０１の構成例を示す概略図である。
【００３０】
同図に示されるスキャナ３０１において、装置本体３０１の左部には多段給紙トレイ３０２（符号３０２−Ａ〜３０２−Ｄ）を備える支持部材３０３が取り付けられ、さらに支持部材３０３内部には多段給紙トレイ３０２を上下自在に移動可能とするローラ３０４が備わっている。また、給紙トレイ３０２にはそれぞれ自動原稿送り装置（以下、自動給紙フィーダー）３１９（符号３１９−Ａ〜３１９−Ｄ）が備わっており、給紙トレイ３０２にセットされた原稿は、この自動給紙フィーダー３１９により後述するプラテンガラス３０６面上に搬送される。
【００３１】
例えば、ここで、多段給紙トレイ３０２のいずれかにセットされた原稿に対してスキャン処理を行う場合には、原稿がセットされた給紙トレイ３０２を後述するプラテンガラス３０６面上に搬送可能な状態、すなわち、同図でいうと給紙トレイ３０２−Ｃに示される位置に該給紙トレイ３０２を移動する。
【００３２】
プラテンガラス３０６は、透明で平らなガラスプレートからなるもので、装置本体３０１の上部の開口部分に嵌まり込む状態で取り付けられている。
【００３３】
また、装置本体３０１の上部には、プラテンガラス３０６上を搬送される原稿を上から押さえるため開閉式の扉３０５が取り付けられている。この開閉式の扉３０５は、ユーザによって開閉操作される。また、上述した給紙トレイ３０２と同様に自動給紙フィーダー３２０を備えている。
【００３４】
なお、同図に示されるスキャナ３０１においては、原稿が給紙トレイ３０２からプラテンガラス３０６上へ搬送される際の、搬送経路上に支持部材３０３および開閉式扉３０５のヒンジ部が位置しているが、これらはいうまでもなく搬送経路の弊害にならないよう配設されている。例えば、装置本体３０１の（走査線方向）両端などが該当する。
【００３５】
プラテンガラス３０６の下方には、プラテンガラス３０６上を搬送される原稿を照射する照明ランプ３０７と、その照射によって得られる原稿からの反射光の光軸方向を変える第１のミラー３０８とが設置されており、さらに、第１のミラーからの反射光の光軸方向を変える固定式の第２のミラー３０９−Ａおよび固定式の第３のミラー３０９−Ｂが設置されている。
【００３６】
また、第１のミラー３０８、第２のミラー３０９−Ａおよび第３のミラー３０９−Ｂを経た原稿からの反射光を所定の焦点位置に集光するレンズ３１０と、その焦点位置にて集光後の反射光を受光してこれを電気信号に変換するＣＣＤ（Charge Coupled Device）３１１と、そのＣＣＤ３１１での変換処理によって得られた出力信号に対して所定の信号処理を施す画像処理部３１２とが配設される。同図には図示されないがＬＡＮ４０１との通信制御を行うインターフェース装置も具備されている。
【００３７】
なお、上述した照明ランプ３０７から原稿に照射され、その照射によって得られる原稿からの反射光がＣＣＤ３１１へと照射されるまでの光路は図中に破線で示されている。
【００３８】
上述した構成のスキャナ３０１においては、多段給紙トレイ３０２のいずれかに（画像面下向き状態で）原稿がセットされた場合には、原稿がセットされた給紙トレイ３０２がローラ３０４によってプラテンガラス３０６上に搬送可能な位置に移動後、該給紙トレイ３０２に備わる自動給紙フィーダー３１９が、その原稿を１枚ずつ順次繰り出して、プラテンガラス３０６上に搬送するとともに、一定の位置に静止した状態で照明ランプ３０７および第１のミラー３０８で搬送される原稿に対する走査を行って画像を読み取り、その画像読み取り後の原稿を排紙トレイ３１３へと排出する。これを繰り返すことによって、ＣＣＤ３１１は、給紙トレイ３０２にセットされた原稿から、連続的にスキャン処理を行うことになる。
【００３９】
なお、プラテンガラス３０６上に（画像面下向き状態で）原稿が載置された場合であれば、従来同様に照明ランプ３０７および第１のミラー３０８がプラテンガラス３０６に沿って副走査方向へと移動し原稿からスキャン処理を行う。
【００４０】
また、上述した説明においては、プラテンガラス３０６上を搬送若しくは載置された原稿からスキャンする場合に、ミラー（符号３０８、３０９−Ａ、３０９−Ｂ）を介してＣＣＤ３１１にデータを送る方法を説明したが、これに限られず、原稿から直接ＣＣＤ３１１でスキャンするよう構成してもよい。
【００４１】
次に、図１および図２に示した画像読取システムにおける動作の一例を図３〜図７を用いて説明する。
【００４２】
なお、ここでは、複数の異なるサイズの原稿を同一サイズの原稿にコピー若しくはスキャンする際の処理について説明する。
【００４３】
図３は、スキャナ３０１に設置された図示しない操作パネル５０１の一例である。
【００４４】
この操作パネル５０１は、コピー若しくはスキャンの機能選択が行えるジョブタイプ５０２と、スキュナ３０１に備わる各給紙トレイ３０２にセットする原稿サイズをそれぞれ選択する原稿サイズ５０３と、処理後の原稿サイズを選択する仕上がりサイズ５０４と、全ての設定が終了した時点に押下する設定終了ボタン５０５を具備して構成される。
【００４５】
まず、ユーザはジョブタイプ５０２において、コピー若しくはスキャンいずれかの機能を選択する。続けて、給紙トレイ３０２にセットする原稿のサイズ選択を原稿サイズ５０３で行う。最後に、仕上がりサイズ５０４でコピー若しくはスキュン後の出力希望サイズを選択する。
【００４６】
そして、ジョブタイプ５０２、原稿サイズ５０３、仕上がりサイズ５０４全て設定後に、設定終了ボタン５０５を押下すると、画像読取システムにおけるコピー若しくはスキャン処理が実行される。
【００４７】
例えば、ジョブタイプ５０２としてコピーを選択し、原稿サイズ５０３では、給紙トレイ１原稿サイズにＡ３、給紙トレイ２原稿サイズにＡ５を選択し、仕上がりサイズ５０４でＡ４を設定後、設定終了ボタン５０５を押下した場合には、給紙トレイ１から読み込んだＡ３サイズのデータはＡ４サイズに縮小され、給紙トレイ２から読み込んだＡ５サイズのデータはＡ４サイズに拡大され、合成されてプリンタ２０１からＡ４サイズの用紙で出力（コピー）される。
【００４８】
なお、上述した操作パネル５０１において、原稿サイズ等（設定状態）が設定されていない場合には、給紙トレイ３０２に原稿がセットされていたとしても、該原稿に対しては処理を行わないように構成することで、ユーザが意図しない読み込み処理を抑止することもできる。
【００４９】
図４〜図７は、操作パネル５０１において上述した設定を行った場合の画像読取システムにおける動作をフロー形式で示したものである。
【００５０】
なお、ここでは、スキャナ３０１に備わる給紙トレイ３０２が４段である場合を説明する。
【００５１】
この処理は、操作パネル５０１における設定終了ボタン５０５が押下されると開始される（ステップＳ１０１でＹＥＳ）。
【００５２】
この処理が開始されると、まず、初期処理としてトレイ変数「ＮＯ」に１、各給紙トレイ３０２に対応して用意される給紙トレイ１読込フラグ〜給紙トレイ４読込フラグ全てに「０（読込対象外）」を設定する（ステップＳ１０２）。
【００５３】
次に、ステップＳ１０４〜ステップＳ１０７までの処理を繰り返し、スキャナ３０１に備わる全ての給紙トレイ３０２にセットされた原稿のサイズおよび原稿の有無状況を確認する。
【００５４】
まず、給紙トレイＮＯ（ここでは、ＮＯは１〜４）に原稿のサイズが設定済みか否かの判断を行う（ステップＳ１０４）。すなわち、上述した操作パネル５０１の原稿サイズ５０３でユーザにより当該給紙トレイＮＯの原稿サイズが設定されたか否かの判断である。
【００５５】
ここで、給紙トレイＮＯに原稿サイズが設定済みの場合は（ステップＳ１０４で設定済み）、給紙トレイＮＯ原稿サイズに原稿サイズを設定し（ステップＳ１０５）、給紙トレイＮＯ読込フラグに「１（読込対象）」を設定する（ステップＳ１０６）。そして、トレイ変数「ＮＯ」に１加算し（ステップＳ１０７）、次の給紙トレイ３０２についてもステップＳ１０４以降の処理を繰り返す。
【００５６】
一方、給紙トレイＮＯに原稿サイズが未設定の場合は（ステップＳ１０４で未設定）、トレイ変数「ＮＯ」に１加算し（ステップＳ１０７）、次の給紙トレイ３０２についてもステップＳ１０４以降の処理を繰り返す。この場合、給紙トレイＮＯ読込フラグはステップＳ１０２の初期処理でデフォルトとして設定された「０（読込対象外）」となり、当該給紙トレイ３０２からは原稿の読み込みは行わない。
【００５７】
すなわち、この処理においては、給紙トレイ３０２に原稿がセットされていたとしても、該原稿の原稿サイズ（設定状態）が設定されていない場合には、該原稿を読取対象外として処理を行わない。
【００５８】
次に、給紙トレイＮＯ読込フラグが全て「０（読込対象外）」か否かの判断を行う（ステップＳ１０９）。これは、給紙トレイ３０２いずれにも原稿サイズがセットされていないか否かの判断である。給紙トレイ３０２のいずれにも原稿サイズがセットされていない場合は（ステップＳ１０９でＹＥＳ）、操作パネル５０１に「どの給紙トレイにも原稿サイズがセットされていない」旨の表示を行い（ステップＳ１２１）、再び、ステップＳ１０１の処理に戻る。
【００５９】
また、給紙トレイ３０２いずれかに原稿サイズがセットされている場合は（ステップＳ１０９でＮＯ）、トレイ変数「ＮＯ」に１を設定する（ステップＳ１１０）。
【００６０】
次に、ステップＳ１１２〜ステップＳ１２１までの処理を繰り返し、上述した処理（ステップＳ１０４〜ステップＳ１０７）で読込対象（給紙トレイＮＯ読込フラグ＝１）となった給紙トレイ３０１に対してコピー若しくはスキャン処理を実行する。
【００６１】
まず、給紙トレイＮＯ読込フラグが「１（読込対象）」か否かの判断を行い（ステップＳ１１２）、給紙トレイＮＯ読込フラグが「０（読込対象外）」の場合は（ステップＳ１１２でＮＯ）、トレイ変数「ＮＯ」に１加算し（ステップＳ１１３）、次の給紙トレイ３０２について給紙トレイＮＯ読込フラグが「１（読込対象）」か否かの判断を行う。
【００６２】
ここで、給紙ＮＯ読込フラグが「１（読込対象）」の場合は（ステップＳ１１２でＹＥＳ）、給紙トレイＮＯの仕上がりサイズが設定済みか否かの判断を行う（ステップＳ１１４）。すなわち、上述した操作パネル５０１の仕上がりサイズ５０４でユーザにより出力希望サイズが設定されたか否かの判断である。
【００６３】
ここで、仕上がりサイズが未設定の場合は（ステップＳ１１４で未設定）、操作パネル５０１に「仕上がりサイズを選択後、設定終了ボタンを押下してください」旨の表示を行い（ステップＳ１２１）、再び、ステップＳ１０１の処理に戻る。
【００６４】
仕上がりサイズが設定されている場合は（ステップＳ１１４で設定済み）、給紙トレイＮＯ仕上がりサイズに仕上がりサイズを設定し（ステップＳ１１５）、上述した操作パネル５０１のジョブタイプ５０２でコピーが選択されたか否かの判断を行う（ステップＳ１１６）。
【００６５】
ここで、操作パネル５０１のジョブタイプ５０２でコピーが選択されている場合は（ステップＳ１１６でＹＥＳ）、コピー処理を行うが（ステップＳ１１７）、コピーが選択されていない場合は（ステップＳ１１６でＮＯ）、スキャンが選択されたか否かの判断を行う（ステップＳ１１８）。このステップＳ１１７におけるコピー処理の詳細は図６に示される。
【００６６】
図６において、コピー処理が開始されると、まず、上述した操作パネル５０１で設定された原稿サイズ５０３と仕上がりサイズ５０４に基づいて、読み込むデータに対して施す拡大／縮小率を決定する（ステップＳ２０１）。
【００６７】
次に、操作パネル５０１に「コピー設定入力してください」旨の表示を行う（ステップＳ２０２）。これは、出力用紙に対して、片面／両面、コピー部数、Ｎｕｐ等のユーザ所望のコピー設定の入力を促すものである。
【００６８】
ここで、ユーザ入力がない場合は（ステップＳ２０３でＮＯ）、引き続き操作パネル５０１に「コピー設定入力してください」旨の表示を行うが（ステップＳ２０２）、ユーザ入力があると（ステップＳ２０３でＹＥＳ）、「実行ボタン」が押下されたか否かの判断を行う（ステップＳ２０４）。すなわち、コピー設定入力完了か否かの判断である。
【００６９】
「実行ボタン」未押下の場合は（ステップＳ２０４でＮＯ）、タイムアウトか否かの判断を行い（ステップＳ２０５）、所定の時間が過ぎていない場合は（ステップＳ２０５でＮＯ）、「実行ボタン」が押下されるのを待つ（ステップＳ２０４）。所定の時間が過ぎている場合は（ステップＳ２０５でＹＥＳ）、このコピー処理を終了する。
【００７０】
また、「実行ボタン」押下済みの場合は（ステップＳ２０４でＹＥＳ）、コピー実行し（ステップＳ２０６）、このコピー処理を終了する。コピー実行は、スキャナ３０１で読み込んだデータに対して、ステップＳ２０１で決定された拡大／縮小率に基づいて拡大／縮小処理を行い、さらにステップＳ２０３で入力されたコピー設定を施して、スキャナ３０１からプリンタ２０１へ印刷指示を行う。そしてプリンタ２０１で該印刷指示に対する印刷処理が行われることで実行される。
【００７１】
図５に戻り、ステップＳ１１８の判断において、スキャンが選択されていないと判断された場合は（ステップＳ１１８でＮＯ）、操作パネル５０１のジョブタイプ５０２において、コピー若しくはスキャンいずれの機能選択もなされていないことになるので、「コピー若しくはスキャンの機能選択をしてください」旨の表示を行い（ステップＳ１２１）、再び、ステップＳ１０１の処理に戻る。
【００７２】
また、ステップＳ１１８の判断において、スキャンが選択されていると判断された場合は（ステップＳ１１８でＹＥＳ）、スキャン処理を行う（ステップＳ１１９）。このステップＳ１１９におけるスキャン処理の詳細は図７に示される。
【００７３】
図７において、スキャン処理が開始されると、まず、上述した操作パネル５０１で設定された原稿サイズ５０３と仕上がりサイズ５０４に基づいて、読み込むデータに対して施す拡大／縮小率を決定する（ステップＳ３０１）。
【００７４】
次に、「実行ボタン」が押下されたか否かの判断を行う（ステップＳ３０２）。「実行ボタン」が未押下の場合は（ステップＳ３０２でＮＯ）、タイムアウトか否かの判断を行い（ステップＳ３０３）、所定の時間が過ぎていない場合は（ステップＳ３０３でＮＯ）、「実行ボタン」が押下されるのを待つ（ステップＳ３０２）。所定の時間が過ぎている場合は（ステップＳ３０３でＹＥＳ）、このスキャン処理を終了する。
【００７５】
また、「実行ボタン」押下済みの場合は（ステップＳ３０２でＹＥＳ）、スキャン実行し（ステップＳ３０４）、このスキャン処理を終了する。スキャン実行は、スキャナ３０１で読み込んだデータに対して、ステップＳ３０１で決定された拡大／縮小率に基づいて拡大／縮小処理を行い、スキャナ３０１からコンピュータ１０１へスキャンしたデータの転送を行うことで実行される。
【００７６】
図５に戻り、ステップＳ１１９のスキャン処理が終了すると、トレイ変数「ＮＯ」に１加算し（ステップＳ１２０）、次の給紙トレイ３０２についてもステップＳ１１２以降の処理を繰り返し、全ての給紙トレイ３０２に対する処理が終了した時点でこの処理を終了する。以上が本発明に係わる画像読取システムにおける動作の一例である。
【００７７】
以上説明したように本発明における第１の実施例においては、従来のスキャナに多段給紙トレイ３０２を設けることでスキャナ３０１を構成したので、簡単な構成で多段給紙トレイ付きスキャナ３０１を実現することができる。また、後述する種々の新機能を提供することができる。
【実施例２】
【００７８】
ここで、図１に示すような基本構成を有する画像読取システムにおける第２の実施例について説明する。
【００７９】
図８は、第２の実施例で用いる多段給紙トレイを備えるスキャナ３０１の構成例を示す概略図である。
【００８０】
同図に示されるスキャナ３０１は、上記第１の実施例を説明した図２に示されるスキャナ３０１の排紙トレイ３１３が１つであるのに対して、第２の実施例では多段給紙トレイ３０２各々に対応して排紙トレイ３１７を持つ構成になっている。なお、図２と同じ符号のものは略同様に動作するので、その説明は省略する。
【００８１】
同図に示されるスキャナ３０１において、装置本体３０１の左部には多段給紙トレイ３０２（符号３０２−Ａ〜３０２−Ｄ）が支持部材３０３に固定で取り付けられており、さらに支持部材３０３には、多段給紙トレイ３０２の各々に対応した排紙トレイ３１７（符号３１７−Ａ〜３１７−Ｄ）が固定で取り付けられている。例えば、給紙トレイ３０２−Ａにセットされた原稿は、該トレイの自動給紙フィーダー３１９−Ａにより排紙トレイ３１７方向へと搬送されるとともに、スキャン処理がなされ排紙トレイ３１７−Ａへと排出される。
【００８２】
また、支持部材３０３には、支持部材３０３内部を上下に移動可能とする移動式ランプ３１６および移動式ミラー３１５が備わっており、給紙トレイ３０２にセットされた原稿からスキャン処理を行う場合には、この移動式ランプ３１６と移動式ミラー３１５が、上下することで、読み取り原稿がセットされた給紙トレイ３０２の（高さ）位置まで移動する。
【００８３】
一方、多段給紙トレイ３０２それぞれには原稿からの反射光を受光するための固定式ミラー３１４（符号３１４−Ａ〜３１４−Ｄ）が配設されており、上述した移動式ランプ３１６が給紙トレイ３０２上を搬送される原稿を照射すると、この固定式ミラー３１４は、その照射によって得られる原稿からの反射光の光軸方向を変える。さらに固定式ミラー３１４からの反射光は移動式ミラー３１５により光軸方向を変えられ、固定式ミラー３０９−Ｃを経てレンズ３１０に集光される。
【００８４】
レンズ３１０は、画像の読取サイズの補正を行うために、移動式ランプ３１６および移動式ミラー３１５が支持部材３０３内部を上下に移動するのと連動して図中副走査方向へ左右移動する。具体的には、いずれの給紙トレイ３０２から画像を読み取るかで光路の差が生じ読取サイズが変化するため、給紙トレイ３０２−Ａにセットされた原稿から読み取りを行う場合には、レンズ３１０はＣＣＤ３１１と遠ざかるように移動し、給紙トレイ３０２−Ｄにセットされた原稿から読み取りを行う場合にはレンズ３１０はＣＣＤ３１１に近づくように移動することで読取サイズの補正を行う。
【００８５】
なお、上述した移動式ランプ３１６から原稿に照射され、その照射によって得られる原稿からの反射光がＣＣＤ３１１へと照射されるまでの光路は図中に破線で示されている。
【００８６】
上述した構成のスキャナ３０１においては、多段給紙トレイ３０２のいずれかに（画像面下向き状態で）原稿がセットされた場合には、該給紙トレイ３０２に備わる自動給紙フィーダー３１９が、その原稿を１枚ずつ順次繰り出して、多段排紙トレイ３１７へと搬送するとともに、移動式ランプ３１６および給紙トレイ３０２に配設される固定式ミラー３１４および移動式ミラー３１５で搬送される原稿に対する走査を行って画像を読み取り、その画像読み取り後の原稿を排紙トレイ３１７へと排出する。これを繰り返すことによって、ＣＣＤ３１１は、給紙トレイ３０２にセットされた原稿から連続的にスキャン処理を行うことになる。
【００８７】
なお、上述した説明においては、給紙トレイ３０２にセットされた原稿に対して、移動式ランプ３１６および移動式ミラー３１５で走査し画像を読み取る方法を説明したが、原稿がプラテンガラス３０６上に載置された場合にも、移動式ランプ３１６および移動式ミラー３１５を移動させて画像を読み取るように構成し本発明を実施してもかまわない。
【００８８】
また、上述した説明においては、読み取りを行う給紙トレイ３０２によって光路の差が生じた場合に、レンズ３１０の位置を移動することで読取サイズの補正を行うよう説明したが、レンズ３１０を固定としてＣＣＤ３１１を経由した出力データを画像処理部３１２において画像処理を施すことで読取サイズの補正を行うようにしてもよい。
【００８９】
以上説明したように本発明における第２の実施例においては、多段給紙トレイ３０２に対応して多段排紙トレイ３１７を設けることでスキャナ３０１を構成したので、給紙トレイ３０２それぞれにセットされた原稿が他の原稿と混同して排出されるということが起こらない。また、上記第１の実施例同様に、後述する種々の新機能を提供することができる。
【実施例３】
【００９０】
ここで、図１に示すような基本構成を有する画像読取システムにおける第３の実施例について説明する。
【００９１】
図９は、第３の実施例で用いる多段給紙トレイを備えるスキャナ３０１の構成例を示す概略図である。
【００９２】
同図に示されるスキャナ３０１は、上記第２の実施例を説明した図８に示されるスキャナ３０１と同様に多段給紙トレイ３０２各々に対応して排紙トレイ３１７を持つ構成であるが、上記第２の実施例では給紙トレイ３０２にセットされた原稿からの読み取りをミラーを介して行っていたのに対して、第３の実施例においては、原稿から直接ＣＣＤで画像読み取りを行う。なお、図８と同じ符号のものは略同様に動作するので、その説明は省略する。
【００９３】
同図に示されるスキャナ３０１において、装置本体３０１の左部には多段給紙トレイ３０２（符号３０２−Ａ〜３０２−Ｄ）が支持部材３０３に固定で取り付けられており、さらに支持部材３０３には、多段給紙トレイ３０２の各々に対応した排紙トレイ３１７（符号３１７−Ａ〜３１７−Ｄ）が固定で取り付けられている。例えば、給紙トレイ３０２−Ａにセットされた原稿は、該トレイの自動給紙フィーダー３１９−Ａにより排紙トレイ３１７方向へと搬送されるとともに、スキャン処理がなされ排紙トレイ３１７−Ａへと排出される。
【００９４】
また、支持部材３０３には、支持部材３０３内部を上下に移動可能とする後述する画像読取部３１８が備わっており、給紙トレイ３０２にセットされた原稿からスキャン処理を行う場合には、この画像読取部３１８が、上下することで、読み取り原稿がセットされた給紙トレイ３０２の（高さ）位置まで移動する。
【００９５】
画像読取部３１８は、照明ランプおよびレンズおよびＣＣＤを具備して構成されており、該照明ランプで給紙トレイ３０２にセットされた原稿に照射し、その照射によって得られる原稿からの反射光をレンズで所定の焦点位置に集光し、その焦点位置で集光後の反射光をＣＣＤで受光してこれを電気信号に変換する。変換処理によって得られた出力信号を画像処理部３１２へと転送する。
【００９６】
上述した構成のスキャナ３０１においては、多段給紙トレイ３０２のいずれかに（画像面下向き状態で）原稿がセットされた場合には、該給紙トレイ３０２に備わる自動給紙フィーダー３１９が、その原稿を１枚ずつ順次繰り出して、多段排紙トレイ３１７へと搬送するとともに画像読取部３１８で搬送される原稿に対する走査を行って直接画像を読み取り、その画像読み取り後の原稿を排紙トレイ３１７へと排出する。これを繰り返すことによって、画像読取部３１８は、給紙トレイ３０２にセットされた原稿から連続的にスキャン処理を行うことになる。
【００９７】
なお、上述した説明においては、給紙トレイ３０２にセットされた原稿に対して、画像読取部３１８で走査し画像を読み取る方法を説明したが、原稿がプラテンガラス３０６上に載置された場合にも、画像読取部３１８を移動させて画像を読み取るように構成し本発明を実施してもかまわない。
【００９８】
以上説明したように本発明における第３の実施例においては、上記第２に実施例で説明したミラー方式の読み取りではなく、直接読み取りを行う方式でスキャナ３０１を構成したので、光路の差により読取サイズが異なるといった問題が発生せず補正処理を行う必要がなくなる。また、上記第１の実施例同様に、後述する種々の新機能を提供することができる。
【００９９】
以上、第１〜第３の実施例を用いて本発明を説明したが、上記実施形態においては、スキャナ３０１に備わる給紙トレイ３０２を４段である場合を説明したが、これはあくまで一例であり、４段以外でも本発明を実施できることはいうまでもない。
【０１００】
この他、本発明は、上記および図面に示す実施例に限定することなく、その要旨を変更しない範囲内で適宜変形して実施できるものである。
【０１０１】
例えば、上述した第１〜第３の実施例においては、多段給紙トレイ３０２に原稿をセットする場合に、画像面を下向きにしてセットするよう説明したが、走査時に原稿の画像面がプラテンガラス３０６方向に向いていれば足りるので、給紙トレイ３０２または開閉式扉３０５に備わる自動給紙フィーダー（符号３１９および３２０）により原稿の表裏を反転するよう構成した場合には、原稿を画像面上向きに給紙トレイ３０２にセットして本発明を実施してもよい。
【０１０２】
ここで、上述した第１〜第３の実施例で説明したスキャナ３０１におけるその他変形例およびその結果得られる具体的効果（新機能）を下記にいくつか列挙する。
【０１０３】
１）複数の原稿を予約することができる（スキャンおよびコピー時）。
【０１０４】
スキャナの給紙トレイが一段の場合は、原稿Ａを読み込み中に原稿Ｂをセットするといったことはできない。本発明による画像読取ステムのように、スキャナ３０１の給紙トレイ３０２が多段備えられていれば、原稿Ａをスキャナ３０１が読み込んでいる時でも、別の給紙トレイ３０２に原稿Ｂをセットすることにより、スキャン若しくはコピーの予約（セット）を行うことができる。
【０１０５】
２）複数の原稿をスキャンして仕分けすることができる（スキャン時）。
【０１０６】
スキャナの給紙トレイが一段の場合は、１つの原稿を読み込んだ後、別の原稿を読み込むというように、複数の原稿をスキャンする場合は順次スキャンを実行する必要があった（原稿Ａと原稿Ｂを同時にセットしてスキャンすると同じ原稿とみなされ、スキャンした結果は同じデータファイルとして混同されてしまう）。本発明による画像読取システムのように、スキャナ３０１の給紙トレイ３０２が多段備えられていれば、例えば、原稿Ａをスキャナ３０１の給紙トレイ１にセットし、原稿Ｂをスキャナ３０１の給紙トレイ２にセットする方法をとり、スキャンを実行することにより、原稿Ａと原稿Ｂを別のデータファイルとして読み込むことができる。
【０１０７】
３）複数の原稿をスキャンして仕分けして排紙できる（コピー時）。
【０１０８】
本発明による画像読取システムのように、スキャナ３０１に給紙トレイ３０２が多段備えられていて、プリンタ２０１に多段排紙トレイ（ソーター等）が備えられている場合、例えば、スキャナ３０１の給紙トレイ１からコピーしたものがプリンタ２０１の多段排紙トレイ１に、スキャナ３０１の給紙トレイ２からコピーしたものがプリンタ２０１の多段排紙トレイ２に排紙される機能を提供することができる。コピー後、コピーされた用紙は、原稿毎に仕分けされて別の排紙トレイに排出される。
【０１０９】
４）スキャン／コピー条件を設定することなく、好みの設定で簡易的にスキャン／コピーを行うことができる（スキャンおよびコピー時）。
【０１１０】
スキャナ３０１の給紙トレイ３０２毎に読み取る条件を予め設定しておき、スキャナ３０１がどのトレイ３０２から読み取ったために、どの設定でスキャン／コピーすると条件を変えて読み取ることにより、使用者は簡単に異なる条件にて原稿をスキャン／コピーできる。
【０１１１】
例）スキャナの給紙トレイ１から読み取る場合は「カラーモード、解像度６００ｄｐｉ」、スキャナの給紙トレイ２から読み取る場合は「カラーモード、解像度３００ｄｐｉ」、スキャナの給紙トレイ３から読み取る場合は「モノクロモード、解像度６００ｄｐｉ」、スキャナの給紙トレイ４から読み取る場合は「モノクロモード、解像度３００ｄｐｉ」というように予め設定しておく。スキャナ３０１はどのトレイ３０２から原稿を読み込んだかによって、予め設定された条件にて読み込みを行う。片面／両面、Ｎｕｐ、その他の条件でも設定できる。
【０１１２】
５）スキャナの給紙トレイに原稿をセットする時に、縦置き、横置きに分けてセットすることによって、コピー後の排紙を仕分けして排紙することができる（コピー時）。
【０１１３】
例えば、Ａ３対応スキャナでＡ４サイズの原稿をコピーする場合。スキャナ３０１の給紙トレイ１に原稿を縦置きにセット、スキャナ３０１の給紙トレイ２に原稿を横置きにセットする。プリンタ２０１側もＡ４サイズの用紙を給紙トレイ１に縦置きにセット、給紙トレイ２に横置きにセットしておく。
【０１１４】
この状態でコピーを実行すれば、原稿が縦置きの場合、コピー結果の出力はプリンタ２０１の給紙トレイ１の縦置きにセットされたトレイから給紙され、原稿が横置きの場合、コピー結果の出力はプリンタ２０１の給紙トレイ２の横置きにセットされたトレイから給紙されるようにする。
【０１１５】
スキャナ３０１の給紙トレイ１と給紙トレイ２に交互に原稿をセットしてコピーを実行することにより、プリンタ２０１の排紙トレイには、コピー結果はＡ４縦置きと、Ａ４横置きが交互に排紙され、コピー結果を仕分けすることが容易になる。
【０１１６】
また、縦置き原稿から読み込んだイメージデータを９０度回転させてプリンタ２０１の横置きにセットされた用紙にコピー出力する等の回転処理を行う必要がないため、コピー速度を落とすことがない。
【０１１７】
なお、必ず仕分けした状態でコピー出力したい場合は、以下の方法で実現できる。例えば、原稿をスキャナ３０１の給紙トレイに縦置きにセットし、プリンタ２０１の給紙トレイの１つには縦置きに、別の給紙トレイには横置きにセットする。画像読取システムはコピージョブ毎に「コピージョブの回転無しでプリンタの縦置きの給紙トレイからコピー出力する処理」と「コピージョブのイメージデータを９０度回転させてプリンタ２０１の横置きの給紙トレイからコピー出力する処理」を交互に繰り返すことにより、コピー出力された用紙は、ジョブ毎に縦置きと横置きが交互に排紙されるために、仕分けが可能となる。
【０１１８】
６）スキャナの給紙トレイに異なる用紙サイズの原稿をセットして、同じ原稿サイズとして（自動拡大／縮小する）スキャン／コピーする（スキャンおよびコピー時）。
【０１１９】
例えば、Ａ３サイズの原稿とＡ４サイズの原稿があり、これらの原稿をＡ４サイズのデータとしてスキャンしたい場合、若しくはＡ４サイズのコピーを取りたい場合、スキャナ３０１の給紙トレイ１にＡ３の原稿をセットし、スキャナ３０１の給紙トレイ２にＡ４の原稿をセットした状態でスキャン若しくは、コピーを実行する（例えば、「複数トレイ読み込み」というような機能で、トレイ１とトレイ２を選択し、「出力サイズ」で「Ａ４サイズ」を指定してスキャン若しくは、コピーを実行するイメージ）。
【０１２０】
スキャナ３０１は、トレイ１から読み込んだデータは自動的にＡ４サイズに縮小して出力（スキャンの場合は、パーソナルコンピュータ１０１へデータ転送し、コピーの場合はプリンタ２０１に出力）し、トレイ２から読み込んだデータはそのままＡ４サイズのデータとして出力する。
【０１２１】
７）スキャナの複数の給紙トレイにセットした原稿をリレー読み込みする（スキャンおよびコピー時）。
【０１２２】
メモリ容量等により、スキャナ３０１が１度に読み込み可能な原稿枚数が限られている場合も、その上限を超えないように、各トレイに原稿を分けてセットすることにより１度に読み込める上限以上の用紙をセットして、スキャン／コピーのジョブを実行できる。スキャナ３０１はあるトレイ３０２からの原稿の読み込みを実行すると、メモリやＣＰＵ（Central Processing Unit）が占有されているうちは、次のトレイ３０２からの読み込みを行わず、メモリやＣＰＵの稼動に空きが出た時に、次の給紙トレイ３０２から読み込みを実行する手段をとれば、支障はない。
【０１２３】
また、給紙トレイ３０２に原稿を分けてセットすることにより、スキャン若しくは、コピー処理によって画像読取システムが長く占有され続けることを回避できる。
【０１２４】
例えば、スキャナ３０１の複数の給紙トレイ３０２に原稿を分けてセットしてスキャン若しくはコピーを実行した場合、ある給紙トレイ３０２からの読み込みと、別の給紙トレイ３０２からの原稿の読み込みの間に印刷ジョブを割り込ませるよう制御することで、スキャンやコピーにより長い時間印刷ジョブが処理されないことを回避することができる。
【０１２５】
印刷ジョブを割り込ませる手段としては、印刷ジョブを受け付けてから一定時間処理されない場合に、印刷ジョブを優先して割り込ませるとか、印刷ジョブに急ぐかどうかの優先度の情報を付加して、優先度が高い印刷ジョブであれば、割り込ませるというような手段が一例として考えられる。
【０１２６】
８）特定の宛先にスキャンデータを配信することができる（スキャン時）。
【０１２７】
例えば、スキャナ３０１の給紙トレイ１から読み込ませた原稿を１グループに、給紙トレイ２から読み込ませた原稿を２グループに配信するというようにスキャナ３０１に予め設定しておき、グループのメンバのＥ−ｍａｉｌアドレスを登録しておく。その場合、原稿をスキャナ３０１の給紙トレイ１にセットしてスキャンするだけで、予め登録された１グループのメンバ宛てにＥ−ｍａｉｌでスキャンデータを配信できる。
【０１２８】
９）グループ毎にコピー（スキャン）の使用頻度を調べることができる（主としてコピー時）。
【０１２９】
グループ１の人はスキャナ３０１の給紙トレイ１を使用して、グループ２の人は給紙トレイ２を使用するというルールを決めて運用した場合、各給紙トレイ３０２からのコピー（スキャン）の使用回数をスキャナ３０１若しくは、プリンタ２０１が記憶しておくことで、グループ毎の使用頻度を調べることができ、使用頻度に応じて課金したり、グループ毎に使用制限（コピー回数の上限を設定する等）をかけたりすることができる。
【０１３０】
１０）コピー時に設定することなく、ホッチキス止めの条件でコピーできる（コピー時）。
【０１３１】
上記４）の機能と同様だが、例えば、スキャナ３０１の給紙トレイ４から読み込んでコピーする場合は、ホッチキス止めされて排紙されるというように予め設定しておくことにより、コピーの度にホッチキス止めの設定を行わなくてよい（ホッチキス止めされたコピー出力を希望する場合、スキャナ３０１の給紙トレイ４に原稿をセットしてコピーするだけでよい）。
【産業上の利用可能性】
【０１３２】
本発明の画像読取装置および画像読取方法および画像読取システムは、情報（例えば、文書、写真、図面など）を読み取って、デジタルデータに変換する画像読取装置全般に適用可能であり、特に、多段給紙トレイを設けることで利便性を高めることができる。
【図面の簡単な説明】
【０１３３】
【図１】本発明に係わる画像読取システムの全体構成を示すブロック図の一例である。
【図２】第１の実施例で用いる多段給紙トレイを備えるスキャナ３０１の構成例を示す概略図である。
【図３】操作パネル５０１の一例を示す図である。
【図４】図１に示した画像読取システムにおける動作をフロー形式で示したものである。
【図５】図１に示した画像読取システムにおける動作をフロー形式で示したものである。
【図６】図５に示したコピー処理の動作の詳細をフロー形式で示したものである。
【図７】図５に示したスキャン処理の動作の詳細をフロー形式で示したものである。
【図８】第２の実施例で用いる多段給紙トレイを備えるスキャナ３０１の構成例を示す概略図である。
【図９】第３の実施例で用いる多段給紙トレイを備えるスキャナ３０１の構成例を示す概略図である。
【符号の説明】
【０１３４】
１０１    コンピュータ
２０１    プリンタ
３０１    スキャナ
３０２    多段給紙トレイ
３０３    支持部材
３０４    ローラ
３０５    開閉式扉
３０６    プラテンガラス
３０７、３１６    照明ランプ
３０８、３１５    移動式ミラー
３０９、３１４    固定式ミラー
３１０    レンズ
３１１    ＣＣＤ（Charge Coupled Device）
３１２    画像処理部
３１３    排紙トレイ
３１７    多段排紙トレイ
３１８    画像読取部
３１９、３２０    自動給紙フィーダー
４０１    ＬＡＮ（Local Area Network）
【図１】
2006020047.tif 000003
【図２】
2006020047.tif 000004
【図３】
2006020047.tif 000005
【図４】
2006020047.tif 000006
【図５】
2006020047.tif 000007
【図６】
2006020047.tif 000008
【図７】
2006020047.tif 000009
【図８】
2006020047.tif 000010
【図９】
2006020047.tif 000011